(57)【要約】【課題】組立性を向上させることができる可変容量型斜板ポンプ・モータのベアリング保持装置および可変容量型斜板ポンプ・モータの提供。【解決手段】斜板１６とリンク部材４１が斜板１６から突出した第１突出部４６とリンク部材４１に設けられた第１溝４２とで係合している。ガイド部２３とリンク部材４１がガイド部２３から突出した第２突出部４９とリンク部材４１に設けられた第２溝とで係合している。ベアリング２５の保持器２８から突出した回動軸４５とリンク部材４１に設けられた軸挿入部４４とでリンク部材４１が保持器２８に回動可能に支持されている。第１突出部４６、第２突出部４９、回動軸４５がポンプ・モータの回転シャフトの軸方向に平行な方向に並んでいて、それぞれ前記軸方向に直交する方向に延びている。軸挿入部４４の位置がリンク部材４１の重心を第１溝４２よりも第２溝４３側に偏らせる位置である。【選択図】図２
2008128006.tif 000002
【特許請求の範囲】
【請求項１】
断面が円弧状の凸曲面を有した斜板と、断面が円弧状で前記凸曲面に対向する凹曲面を有したガイド部と、前記凸曲面と前記凹曲面の間に設けられたベアリングとを備えていて、前記ベアリングが、前記凹曲面に固定された外輪と、この外輪と前記凸曲面の間に円弧状に並べられた複数の転動体と、これらの複数の転動体を保持した保持器とを有している可変容量型斜板ポンプ・モータにあって、
前記凹曲面に沿った前記斜板の傾転に前記ベアリングの保持器を追従させるリンク部材を備えたベアリング保持装置において、
前記斜板から突出した棒状の第１突出部と、前記リンク部材に設けられ前記第１突出部が挿入された第１溝と、前記ガイド部から突出した棒状の第２突出部と、前記リンク部材に設けられ前記第２突出部が挿入された第２溝と、前記保持器および前記リンク部材のうちの一方から突出した回動軸と、他方に設けられ前記回動軸が挿入された断面が円形の軸挿入部とを備えていて、
前記第１突出部、前記第２突出部および前記回動軸が、前記可変容量型斜板ポンプ・モータの回転シャフトの軸方向に平行な方向に並んでいて、
前記第１突出部、前記第２突出部および前記回動軸がそれぞれ前記軸方向に直交する方向に延びていて、前記リンク部材に設けられた前記回動軸または前記軸挿入部の位置が、
前記リンク部材の重心を前記第１溝よりも前記第２溝側に偏らせる位置である、ことを特徴としている可変容量型斜板ポンプ・モータのベアリング保持装置。
【請求項２】
請求項１記載の発明において、
前記第１突出部が、前記斜板に設けられた第１穴に一端側が挿入された第１棒状体のうちの、前記第１穴から突出した他端側の部分であり、
前記第２突出部が、前記ガイド部に設けられた第２穴に一端が挿入された第２棒状体のうちの、前記第２穴から突出した他端側の部分であり、
前記第１，第２棒状体のうちの一方の棒状体の他端側の部分が、前記第１，第２溝のうちの対応する方の溝を突き抜けて、前記一方の溝から突き抜けた他端側の部分の周側面に、前記一方の棒状体の他端から抜ける方向への前記リンク部材の移動を規制する対リンク部材規制部が設けられていて、
前記リンク部材には、前記第１，第２棒状体のうちの他方の棒状体の突出方向におけるその他方の棒状体の延長線上にあって、その他方の棒状体が前記第１，第２穴のうちの対応する方の穴から抜ける方向への移動を規制する対棒状体規制部が設けられている、
ことを特徴とする可変容量型斜板ポンプ・モータのベアリング保持装置。
【請求項３】
請求項２記載の発明において、
前記回動軸が、前記保持器に設けられた第３穴に一端側が挿入された棒状体のうちの、前記第３穴から突出した他端側の部分であり、
前記リンク部材には、前記第３棒状体の突出方向における前記第３棒状体の延長線上にあって、前記第３穴から抜ける方向への前記第３棒状体の移動を規制する対軸規制部が設けられている、ことを特徴とする可変容量型斜板ポンプ・モータのベアリング保持装置。
【請求項４】
請求項２記載の発明において、
前記回動軸が、前記保持器および前記リンク部材のうちの一方と一体に成形されたものである、ことを特徴とする可変容量型斜板ポンプ・モータのベアリング保持装置。
【請求項５】
請求項１に記載のベアリング保持装置を備えた可変容量型斜板ポンプ・モータであって、前記斜板、前記ベアリング、前記ベアリング保持装置、前記ガイド部を覆うハウジングを備えていて、このハウジングと前記ガイド部が一体の部材である、ことを特徴とする可変容量型斜板ポンプ・モータ。
【発明の詳細な説明】
【技術分野】
【０００１】
本発明は、斜板と、この斜板の傾転をガイドするガイド部との間に組込まれたベアリングが、斜板の傾転に追従するように支持された可変容量型斜板ポンプ・モータのベアリング保持装置および可変容量型斜板ポンプ・モータに関する。
【背景技術】
【０００２】
従来の可変容量型斜板ポンプ・モータのベアリング保持装置について、図７を用いて説明する。図７は、従来技術におけるリンク部材、および、このリンク部材とガイド部、斜板およびベアリングとの係合構造を示す図である。
【０００３】
図７において、１６は、断面が円弧状の凸曲面２２を有した斜板である。また、２３は、断面が円弧状で凸曲面２２に対向する凹曲面２４を有したガイド部である。２５は、凸曲面２２と凹曲面２４の間に設けられたベアリングである。ベアリング２５は、凹曲面２４に固定された外輪２６と、この外輪２６と凸曲面２２との間に円弧状に並べられた複数の転動体２７と、これら複数の転動体２７を保持する保持器２８とを備えている。斜板１６、ガイド部２３およびベアリング２５は、可変容量型斜板ポンプ・モータの構成要素である。
【０００４】
従来のベアリング保持装置は、凹曲面２４に沿った斜板１６の傾転にベアリング２５の保持器２８を追従させるリンク部材１００を備えている。
【０００５】
斜板１６には突出部１１０が設けられている。リンク部材１００には、溝１０１が設けられていて、この溝１０１に突出部１１０が挿入されている。
【０００６】
ガイド部２３には、頭部１１１ａを有したピンからなっている回動軸１１１が設けられている。リンク部材１００には軸孔１１２が設けられていて、この軸孔１１２に回動軸１１１が挿入されている。
【０００７】
ベアリング２５の保持器２８には、突出部１１３が設けられている。リンク部材１００の溝１０１の底辺中央には、溝１０２が設けられていて、この溝１０２に突出部１１３が挿入されている。
【０００８】
図７に示した従来のベアリング保持装置は、特許文献１に示されている。
【特許文献１】特開２００１−３４９２８８公報
【発明の開示】
【発明が解決しようとする課題】
【０００９】
ところで、可変容量型斜板ポンプ・モータでは、その外郭を形成するハウジングとガイド部とが一体の部材となっているものがある。この種のハウジングは、可変容量型斜板ポンプ・モータの構成部品を格納する空間の大部分を形成しているとともに、それらの構成部品をハウジング本体内に組込むための開口部が設けられているハウジング本体と、開口部を塞いだ状態でハウジング本体に固定されている蓋体とを備えている。ガイド部は、ハウジング本体および蓋体のうちの、ハウジング本体と一体になっている。
【００１０】
このようなハウジングを備えた可変容量型斜板ポンプ・モータでは、ハウジング本体内への斜板およびベアリングの組込みは、ガイド部と一体のハウジング本体が金属の塊であり重いため、（１）ガイド部の凹曲面が上向きになるようにハウジング本体を作業台等に置き、（２）開口部からハウジング本体内にベアリングの外輪を入れて、ガイド部の凹曲面に固定し、（３）ベアリングの外輪に、転動体を保持したベアリングの保持器を載置し、（４）凸曲面が下向きになった状態にした斜板を、開口部からハウジング本体内に入れてベアリングの保持器に載置する、という手順で行われる。
【００１１】
このハウジング本体内への斜板およびベアリングの組込みとともに、リンク部材の取付けを行う場合、前述の従来のベアリング装置では、ガイド部２３に回動軸１１１およびリンク部材１００を取り付けた後、ガイド部２３にベアリング２５を組付けることになる。このとき、リンク部材１００の溝１０２がベアリング２５の保持器２８の突出部１１３の方向を向いた姿勢にリンク部材１００の姿勢が保持されるよう、リンク部材１００を支える必要がある。このようにリンク部材１００を支えることは、ガイド部２３およびベアリング２５の周囲の空間がハウジング本体の内壁に覆われていて、その内壁に手や指の動きが制限されるため、行いにくかった。
【００１２】
本発明は、前述の従来技術の実状を考慮してなされたもので、その目的は、組立性を向上させることができる可変容量型斜板ポンプ・モータのベアリング保持装置を提供することにある。
【課題を解決するための手段】
【００１３】
前述の目的を達成するための本発明は次のように構成されている。
【００１４】
〔１〕  本発明の可変容量型斜板ポンプ・モータのベアリング保持装置は、断面が円弧状の凸曲面を有した斜板と、断面が円弧状で前記凸曲面に対向する凹曲面を有したガイド部と、前記凸曲面と前記凹曲面の間に設けられたベアリングとを備えていて、前記ベアリングが、前記凹曲面に固定された外輪と、この外輪と前記凸曲面の間に円弧状に並べられた複数の転動体と、これらの複数の転動体を保持した保持器とを有している可変容量型斜板ポンプ・モータにあって、前記凹曲面に沿った前記斜板の傾転に前記ベアリングの保持器を追従させるリンク部材を備えたベアリング保持装置において、前記斜板から突出した棒状の第１突出部と、前記リンク部材に設けられ前記第１突出部が挿入された第１溝と、前記ガイド部から突出した棒状の第２突出部と、前記リンク部材に設けられ前記第２突出部が挿入された第２溝と、前記保持器および前記リンク部材のうちの一方から突出した回動軸と、他方に設けられ前記回動軸が挿入された断面が円形の軸挿入部とを備えていて、前記第１突出部、前記第２突出部および前記回動軸が、前記可変容量型斜板ポンプ・モータの回転シャフトの軸方向に平行な方向に並んでいて、前記第１突出部、前記第２突出部および前記回動軸がそれぞれ前記軸方向に直交する方向に延びていて、前記リンク部材に設けられた前記回動軸または前記軸挿入部の位置が、前記リンク部材の重心を前記第１溝よりも前記第２溝側に偏らせる位置である、ことを特徴としている。
【００１５】
このように構成された本発明では、リンク部材に設けられた回動軸または軸挿入部の位置が、リンク部材の重心を第１溝よりも第２溝側に偏らせる位置である。これにより、リンク部材が回動軸と軸挿入部でベアリングの保持器に対して回動可能に支持された状態において、リンク部材の姿勢は、第１溝が上を向き第２溝が下を向いた姿勢で安定する。
【００１６】
「〔発明が解決しようとする課題〕」の欄で述べた手順でベアリングをガイド部に組付ける場合、ガイド部に固定したベアリングの外輪にベアリングの保持器を載置する前に、リンク部材が回動軸と軸挿入部でベアリングの保持器に対して回動可能に支持された状態にする。これにより、ベアリングの保持器をベアリングの外輪に載置するとき、リンク部材の姿勢は自然に、第１溝が上を向き第２溝が下を向いた姿勢で、安定するので、第２溝が第２突出部の方向を向いた姿勢に保持されるようにリンク部材を支える、ということを行わなくて済む。この結果、可変容量型斜板ポンプ・モータのベアリング保持装置の組立性を向上させることができる。
【００１７】
〔２〕  本発明は、「〔１〕」に記載の発明において、前記第１突出部が、前記斜板に設けられた第１穴に一端側が挿入された第１棒状体のうちの、前記第１穴から突出した他端側の部分であり、前記第２突出部が、前記ガイド部に設けられた第２穴に一端が挿入された第２棒状体のうちの、前記第２穴から突出した他端側の部分であり、前記第１，第２棒状体のうちの一方の棒状体の他端側の部分が、前記第１，第２溝のうちの対応する方の溝を突き抜けて、前記一方の溝から突き抜けた他端側の部分の周側面に、前記一方の棒状体の他端から抜ける方向への前記リンク部材の移動を規制する対リンク部材規制部が設けられていて、前記リンク部材には、前記第１，第２棒状体のうちの他方の棒状体の突出方向におけるその他方の棒状体の延長線上にあって、その他方の棒状体が前記第１，第２穴のうちの対応する方の穴から抜ける方向への移動を規制する対棒状体規制部が設けられている、ことを特徴とする。
【００１８】
〔３〕  本発明は、「〔２〕」に記載の発明において、前記回動軸が、前記保持器に設けられた第３穴に一端側が挿入された棒状体のうちの、前記第３穴から突出した他端側の部分であり、前記リンク部材には、前記第３棒状体の突出方向における前記第３棒状体の延長線上にあって、前記第３穴から抜ける方向への前記第３棒状体の移動を規制する対軸規制部が設けられている、ことを特徴とする。
【００１９】
〔４〕本発明は、「〔２〕」に記載の発明において、前記回動軸が、前記保持器および前記リンク部材のうちの一方と一体に成形されたものである、ことを特徴とする。
【００２０】
〔５〕  本発明の可変容量型斜板ポンプ・モータは、「〔１〕」に記載のベアリング保持装置を備えた可変容量型斜板ポンプ・モータであって、前記斜板、前記ベアリング、前記ベアリング保持装置、前記ガイド部を覆うハウジングを備えていて、このハウジングと前記ガイド部が一体の部材である、ことを特徴とする。
【発明の効果】
【００２１】
本発明は、前述のように可変容量型斜板ポンプ・モータのベアリング保持装置の組立性を向上させること行できる。この結果、可変容量型斜板ポンプ・モータの組立作業に要する労力の軽減や、組立作業に要する時間の短縮に貢献できる。
【発明を実施するための最良の形態】
【００２２】
本発明の可変容量型斜板ポンプ・モータのベアリング保持装置および可変容量型斜板ポンプ・モータの実施形態について説明する。
【００２３】
＜第１実施形態＞
第１実施形態について図１〜５を用いて説明する。
【００２４】
図１は本発明の可変容量型斜板ポンプ・モータの第１実施形態の断面図である。図２は、図１の下側に示したリンク部材、および、このリンク部材とガイド部、斜板およびベアリングとの係合構造を示す下面図である。図３は図１の下側に示したリンク部材および係合構造の拡大断面図である。図４はガイド部、斜板およびベアリングの分解斜視図である。図５はリンク部材がベアリングを斜板の傾転に追従させている様子の一例を示す図である。
【００２５】
第１実施形態は図１に示す可変容量型斜板ポンプ１である。この可変容量型斜板ポンプ１は、その外郭を形成するハウジング２と、このハウジング２から一端が突出した状態で、ハウジング２に円環状のベアリング９，１０を介して支持された回転シャフト８とを備えている。
【００２６】
ハウジング２は、ハウジング本体３と蓋体５とを備えている。ハウジング本体３は、可変容量型斜板ポンプ１の構成部品を格納する空間の大部分を形成しているとともに、それらの構成部品をハウジング本体３内に組込むための開口部４が設けられている。
【００２７】
ハウジング本体３内には、回転シャフト８にスプライン結合したシリンダブロック１１と、シリンダブロック１１の複数のシリンダボア１２のそれぞれに摺動可能に挿入されるピストン１４と、シリンダブロック１１から突出した各ピストン１４の端部に球継手により結合されたシュー１５と、各シュー１５に当接した平滑面１７を有した斜板１６とが格納されている。
【００２８】
蓋体５には吸込み管路６と吐出し管路７が設けられている。蓋体５とシリンダブロック１１の間にはバルブプレート１８が介在している。このバルブプレート１８には、シリンダボア１２の入出口１３と、蓋体５の吸込み管路６および吐出し管路７とを連通させるための吸込みポート１９および吐出しポート２０が設けられている。蓋体５は、シリンダブロック１１との間でバルブプレート１８を挟んだ状態で、また、開口部４を塞いだ状態でハウジング本体３に固定されている。
【００２９】
可変容量型斜板ポンプ１は、斜板１６の傾転角を可変にする傾転角可変機構２１と、この傾転角可変機構２１を駆動する駆動機構３０とを備えている。
【００３０】
傾転角可変機構２１は、斜板１６に設けられた断面が円弧状の凸曲面２２と、断面が円弧状で凸曲面２２に対向する凹曲面２４を有した、ハウジング本体３と一体に設けられたガイド部２３と、斜板１６の凸曲面２２とガイド部２３の凹曲面２４の間に設けられたベアリング２５と、このベアリング２５を保持するベアリング保持装置４０とから構成されている。ベアリング２５は、凹曲面２４に固定された外輪２６と、この外輪２６と凸曲面２２の間に円弧状に並べられた複数の転動体２７と、これらの転動体２７を保持した保持器２８とを備えている。
【００３１】
駆動機構３０は、サーボシリンダ３１と、サーボピストン３３から斜板１６に力を伝達する伝達機構３４とを備えている。
【００３２】
サーボシリンダ３１は、ハウジング本体３に設けられた空洞であって回転シャフト８の軸方向に直交する方向に延びたシリンダボア３２と、シリンダボア３２に摺動可能に挿入されたサーボピストン３３とから構成されている。
【００３３】
伝達機構３４は、斜板１６から延びたアーム３６と、サーボピストン３３に設けられた穴３５と、棒状部３７が挿入された穴３８ａを有し、穴３５の内壁面と棒状部３７との間に介在するスライダ３８とを備えている。スライダ３８と穴３５は、サーボピストン３３の軸方向に直交する方向への棒状部３７の変位を許容しつつ、サーボピストン３３の軸方向の力を棒状部３７に伝達できるように設けられている。
【００３４】
ベアリング保持装置４０は、図１に示すように、斜板１６の傾転中心線に平行な方向（図１の上下方向）における斜板１６、ガイド部２３およびベアリング２５の両側に設けられていて、ガイド部２３の凹曲面２４に沿った斜板１６の傾転にベアリング２５の保持器２８を追従させるためのリンク部材４１を備えている。
【００３５】
図２，３に示すように、斜板１６には、棒状の第１突出部４６が設けられている。リンク部材４１には第１溝４２が設けられていて、この第１溝４２に第１突出部４６が挿入されている。第１突出部４６は、斜板１６に設けられた第１穴４７に一端側が挿入された第１棒状体４８のうちの、第１穴４７から突出した他端側の部分である。
【００３６】
ガイド部２３には、棒状の第２突出部４９が設けられている。リンク部材４１には第２溝４３が設けられていて、この第２溝４３に第２突出部４９が挿入されている。第２突出部４９は、ガイド部２３に設けられた第２穴５０に一端が挿入された第２棒状体５１のうちの、第２穴５０から突出した他端側の部分である。
【００３７】
ベアリング２５の外輪２６はピン２９によってガイド部２３に対するスライドを阻止されている。第２棒状体５１にはピン２９が貫通したピン孔５２が設けられている。つまり、ピン２９は外輪２６のガイド部２３に対するスライドを阻止ししつつ、第２棒状体５１を抜け止めしている。
【００３８】
ベアリング２５の保持器２８およびリンク部材４１のうちの一方、例えば保持器２８からは、回動軸４５が突出している。リンク部材４１には、断面が円形の軸挿入部４４が設けられていて、この軸挿入部４４に回動軸４５が挿入されている。回動軸４５は、例えばベアリング２５の保持器２８に一体に設けられている。軸挿入部４４は、例えばリンク部材４１を貫通した丸孔である。
【００３９】
第１突出部４６、第２突出部４９および回動軸４５は、可変容量型斜板ポンプ１の回転シャフト８の軸方向に平行な方向に並んでいる。また、第１突出部４６、第２突出部４９および回動軸４５はそれぞれ軸方向に直交する方向に延びている。
【００４０】
リンク部材４１に設けられた軸挿入部４４の位置は、リンク部材４１の重心を第１溝４２よりも第２溝４３側に偏らせる位置である。
【００４１】
第１，第２棒状体４８，５１のうちの一方の棒状体、例えば第２棒状体５１の他端側の部分は、第２溝４３を突き抜けている。第２溝４３から突き抜けた他端側の部分の周側面には、第２棒状体５１の他端から抜ける方向へのリンク部材４１の移動を規制する対リンク部材規制部５３が設けられている。この対リンク部材規制部５３は、第２棒状体５１の周側面から径方向に突出した突出部、例えば第２棒状体５１の円周方向に連続したツバ状の突出部からなっている。
【００４２】
「〔発明が解決しようとする課題〕」の欄でも述べたが、ハウジング本体３内への斜板およびベアリング２５の組込みは、ガイド部２３と一体のハウジング本体３が金属の塊であり重いため、図４に示すように、（１）ガイド部２３の凹曲面２４が上向きになるようにハウジング本体３を作業台等（図示していない）に置き、（２）開口部４（図４には示していない）からハウジング本体３内にベアリング２５の外輪２６を入れて、ガイド部２３の凹曲面２４に固定し、（３）ベアリング２５の外輪２６に、転動体２７を保持したベアリング２５の保持器２８を載置し、（４）凸曲面２２が下向きになった状態にした斜板１６を、開口部４からハウジング本体３内に入れて、ベアリング２５の保持器２８上に載置する、という手順で行われる。
【００４３】
この手順でハウジング本体３内に斜板１６およびベアリング２５を組込む場合、ガイド部２３に固定したベアリング２５の外輪２６上にベアリング２５の保持器２８を載置する前に、リンク部材４１が回動軸４５と軸挿入部４４でベアリング２５の保持器２８に対して回動可能に支持された状態にする。この状態のベアリング２５の保持器２８をベアリング２５の外輪２６に載置するとき、リンク部材４１の姿勢は自然に第１溝４２が上を向き第２溝４３が下を向いた姿勢で安定するので、第２溝４３が第２突出部４９の方向を向いた姿勢に保持されるようにリンク部材４１を支える、ということを行わなくて済む。
【００４４】
第１実施形態は次のように動作する。
【００４５】
圧油によりサーボピストン３３が押圧されると、サーボピストン３３を押圧する力がアーム３６を介して斜板１６に伝達される。これにより、斜板１６はベアリング２５の転動体２７を転動させながら傾転する。
【００４６】
斜板１６を傾転させる力は、斜板１６から第１突出部４６を介してリンク部材４１に伝達される。第１突出部４６は、第１溝４２を形成するリンク部材４１の縁に接触した状態で、第１溝４２の底辺から離れる方向への移動を許容された状態である。第２突出部４９は、第２溝４３を形成するリンク部材４１の縁に接触した状態で、第２溝４３の底辺から離れる方向の移動を許容された状態である。これらにより、リンク部材４１は、軸挿入部４４と回動軸４５により係合している保持器２８を外輪２６に対して斜板１６の傾転方向にスライドさせながら、回動軸４５を中心に回動する。この結果、保持器２８が斜板１６の傾転に追従する。
【００４７】
第１実施形態によれば次の効果を得られる。
【００４８】
第１実施形態では、組立の際、リンク部材４１が回動可能に支持された状態のベアリング２５の保持器２８を、ベアリング２５の外輪２６に載置するときに、第２溝４３が第２突出部４９の方向を向いた姿勢に保持されるようにリンク部材４１を支える、ということを行わなくて済む。これにより、ベアリング保持装置４０の組立性を向上させること行できる。この結果、可変容量型斜板ポンプ・モータの組立作業に要する労力の軽減や、組立作業に要する時間の短縮に貢献できる。
【００４９】
なお、第１実施形態では、第２棒状体５１がピン２９により抜け止めされているので、第２突出部４９に対リンク部材規制部５３が設けられているが、本発明はこれに限定されるものではない。第１突出部４６が、第１棒状体４８のように斜板１６とは別の部材ではなく斜板１６と一体の部材である場合や、第１棒状体４８が抜け止めされる場合には、第２突出部４９に替えて第１突出部４６に対リンク部材規制部が設けられていてもよい。
【００５０】
また、第１実施形態では、対リンク部材規制部５３がツバ状の突出部からなっているが、本発明はこれに限定されるものではない。対リンク部材規制部５３は、第２棒状体５１の円周方向に断続に突出する複数の突出部からなっていてもよい。
【００５１】
また、第１実施形態は、可変容量型斜板ポンプであったが、本発明は可変容量型斜板ポンプに限定されるものではなく、可変容量型斜板モータであってもよい。
【００５２】
＜第２実施形態＞
第２実施形態について図６を用いて説明する。図６は、第２実施形態におけるリンク部材、および、このリンク部材とガイド部、斜板およびベアリングとの係合構造を示す図あって、（ａ）はその拡大断面図であり、（ｂ）はその下面図である。
【００５３】
図６（ａ）に示すように、リンク部材４１には、第１，第２棒状体４８，５１のうちの他方の棒状体、すなわち第１棒状体４８の延長線上に位置していて、第１棒状体４８が第１穴４７から抜ける方向への移動を規制する対棒状体規制部６０が設けられている。この対棒状体規制部６０は、図６（ｂ）に示すように、例えば第１溝４２の内壁面全体に沿って連続したツバ状の突出部からなっている。
【００５４】
図６（ａ）に示すように、ベアリング２５の保持器２８には第３穴６１が設けられている。この第３穴６１に第３棒状体６２の一端側が挿入されている。第３棒状体６２のうちの第３穴６１から突出した他端側の部分が、回動軸４５となっている。
【００５５】
リンク部材４１には、第３棒状体６２の突出方向における第３棒状体６２の延長線上にあって、第３穴６１から抜ける方向への第３棒状体６２の移動を規制する対軸規制部６３が設けられている。この対軸規制部６３も、例えば第２溝４３の内壁面全体に沿って連続したツバ状の突出部からなっている。
【００５６】
図６に示した部分以外の第２実施形態の構成は、第１実施形態と同様なので、その説明を省略する。
【００５７】
第２実施形態によれば次の効果が得られる。
【００５８】
第２実施形態では、第１実施形態と同様に、組立の際、リンク部材４１が回動可能に支持された状態のベアリング２５の保持器２８を、ベアリング２５の外輪２６に載置するときに、第２溝４３が第２突出部４９の方向を向いた姿勢に保持されるようにリンク部材４１を支える、ということを行わなくて済む。これにより、ベアリング保持装置４０の組立性を向上させること行できる。この結果、可変容量型斜板ポンプ・モータの組立作業に要する労力の軽減や、組立作業に要する時間の短縮に貢献できる。
【００５９】
特に第２実施形態では、リンク部材４１が対棒状体規制部６０および対軸規制部６３のそれぞれによって、第１棒状体４８および第３棒状体６２が抜けるのを防止することができる。これにより、生産性向上のために、第１突出部４６および回転体４５のそれぞれを、斜板１６および保持器２８のそれぞれとは別体の第１，第３棒状体４８，６２のそれぞれにより構成しても、これら第１，第３棒状体４８，６２の抜けによる故障のリスクをなくすことができる。
【００６０】
なお、第２実施形態は、対棒状体規制部６０および対軸規制部６３がツバ状の突出部からなっている例であるが、本発明はこれに限定されるものではない。リンク部材４１を貫通しないように第１溝４２および軸挿入部４４を設けることによって、第１棒状体４８および第３棒状体６２の抜け止めしてもよい。
【図面の簡単な説明】
【００６１】
【図１】本発明の可変容量型斜板ポンプ・モータの第１実施形態の断面図である。
【図２】図１の下側に示したリンク部材、および、このリンク部材とガイド部、斜板およびベアリングとの係合構造を示す下面図である。
【図３】図１の下側に示したリンク部材および係合構造の拡大断面図である。
【図４】ガイド部、斜板およびベアリングの分解斜視図である。
【図５】リンク部材がベアリングを斜板の傾転に追従させている様子の一例を示す図である。
【図６】第２実施形態におけるリンク部材、および、このリンク部材とガイド部、斜板およびベアリングとの係合構造を示す図あって、（ａ）はその拡大断面図であり、（ｂ）はその下面図である。
【図７】従来技術におけるリンク部材、および、このリンク部材とガイド部、斜板およびベアリングとの係合構造を示す図である。
【符号の説明】
【００６２】
１  可変容量型斜板ポンプ
２  ハウジング
３  ハウジング本体
４  開口部
５  蓋体
８  回転シャフト
１６  斜板
２１  傾転角可変機構
２２  凸曲面
２３  ガイド部
２４  凹曲面
２５  ベアリング
２６  外輪
２７  転動体
２８  保持器
２９  ピン
３０  駆動機構
４０  ベアリング保持装置
４１  リンク部材
４２  第１溝
４３  第２溝
４４  軸挿入部
４５  回動軸
４６  第１突出部
４７  第１穴
４８  第１棒状体
４９  第２突出部
５０  第２穴
５１  第２棒状体
５２  ピン孔
５３  対リンク部材規制部
６０  対棒状体規制部
６１  第３穴
６２  第３棒状体
６３  対軸規制部
【図１】
2008128006.tif 000003
【図２】
2008128006.tif 000004
【図３】
2008128006.tif 000005
【図４】
2008128006.tif 000006
【図５】
2008128006.tif 000007
【図６】
2008128006.tif 000008
【図７】
2008128006.tif 000009